【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
透析システムであって、
患者からの血液の流れを、患者のチューブセットおよびダイアライザーの血液側を通して動かすように構成された血液ポンプ、
患者の静脈圧を測定するように構成された静脈圧センサ、
前記ダイアライザーの透析液側を通る透析液の流れを制御するように構成された第１のポンプおよび第２のポンプ、
透析液の流れが前記ダイアライザーの透析液側を通ることを防止するために、前記ダイアライザーの透析液側をバイパスするように構成された１つ以上のバルブ、
前記第１のポンプと前記第２のポンプとの間に配置され、前記ダイアライザーの透析液側がバイパスされたときに、透析液の圧力を測定するように構成された透析液圧センサ、および
前記血液ポンプ、前記静脈圧センサ、前記第１および第２のポンプ、前記１つ以上のバルブ、および前記透析液圧センサと操作可能に結合された電子コントローラであって、前記電子コントローラは、前記第１のポンプと前記第２のポンプとの間の流れアンバランスを引き起こすために、前記第１および第２のポンプのポンプ速度を調節するように構成されており、前記流れアンバランスは、当該流れアンバランスを均一にするために前記ダイアライザーの前記血液側と前記ダイアライザーの前記透析液側との間の流体の流れをもたらす、電子コントローラ、を含む、透析システム。
【請求項２】
透析システムであって、
血液側および透析液側を含むダイアライザー、
前記ダイアライザーの前記血液側に結合された血液回路であって、さらに、患者の静脈接続部位に接続されるように適合された静脈ラインと、患者の動脈接続部位に接続されるように適合された動脈ラインとを含む血液回路、
前記血液回路に結合され、患者からの血液を、前記動脈ラインを通り、前記ダイアライザーの前記血液側を通り、そして前記静脈ラインを通って患者に戻すように構成された血液ポンプ、
前記血液回路に結合され、患者の静脈圧を測定するように構成された静脈圧センサ、
前記ダイアライザーの前記透析液側に結合された透析液回路であって、さらに、透析液供給源に結合された透析液ラインを含む透析液回路、
前記透析液回路に結合されたアクチュエータであって、透析液が前記ダイアライザーの前記透析液側を通って移動する第１の構成と、透析液が前記ダイアライザーの前記透析液側を通って移動することを防止する第２の構成とを含むアクチュエータ、
前記透析液回路に結合された第１の透析液ポンプおよび第２の透析液ポンプであって、前記アクチュエータが前記第１の構成のときに、前記透析液供給源から、前記透析液ラインを通り、そして前記ダイアライザーの前記透析液側を通る透析液を動かすように構成された、第１の透析液ポンプおよび第２の透析液ポンプ、
前記透析液回路に結合され、前記第１の透析液ポンプと前記第２の透析液ポンプとの間の前記透析液の圧力を測定するように構成された透析液圧センサ、および
前記血液ポンプ、前記静脈圧センサ、前記透析液圧センサ、前記アクチュエータ、前記第１の透析液ポンプおよび前記第２の透析液ポンプと操作可能に連結された電子コントローラであって、
前記ダイアライザーの前記透析液側を通る透析液の流れを動かすために、前記第１の透析液ポンプのポンプ速度を調節する工程、
透析液の流れが前記ダイアライザーの前記透析液側を通過するのを防止するために前記アクチュエータを制御する工程、
測定された透析液圧を前記透析液圧センサから受信する工程と、
前記測定された透析液圧が安定するまで、前記第２の透析液ポンプのポンプ速度を調節する工程、
前記透析液の流れが前記ダイアライザーの前記透析液側を通過することを可能にするために前記アクチュエータを制御する工程、および
前記第１の透析液ポンプと前記第２の透析液ポンプとの間の流れアンバランスを引き起こすために、前記第２の透析液ポンプのポンプ速度を調節して、前記流れアンバランスは、当該流れアンバランスを均一にするために前記ダイアライザーの前記血液側と前記ダイアライザーの前記透析液側との間の流体の流れをもらす工程、
を実行することによって、透析治療中に前記ダイアライザーを横切る流体流れの動的バランスを達成するように構成された電子コントローラ、を含む、透析システム。
【請求項３】
前記電子コントローラは、前記測定された静脈圧を前記静脈圧センサから受信するように構成され、かつ前記測定された静脈圧が所定の閾値だけ変化する場合に、前記制御、受信および調節する工程を繰り返すように構成される、請求項２に記載のシステム。
【請求項４】
透析システムに使い捨てのカートリッジおよびチューブセットを接続する方法であって、
前記透析システムのアライメント機構に隣接して、前記使い捨てのカートリッジおよびチューブセットのアライメント機構を配置する工程と、
前記使い捨てのカートリッジおよびチューブセットの静脈ドリップチャンバを前記透析システムの１つ以上の流体レベルセンサと音響的に結合させるために、前記透析システム上に前記使い捨てのカートリッジおよびチューブセットを取り付ける工程と、を含む、使い捨てカートリッジおよびチューブセットを接続する方法。
【請求項５】
さらに、前記静脈ドリップチャンバ内の流体レベルを前記１つ以上の流体レベルセンサで測定する工程を含む、請求項４に記載の方法。
【請求項６】
透析システム上に取り付けるように適合された使い捨てカートリッジであって、
前記透析システム上の対応するアライメント機構と取り外し可能に嵌合するように構成された複数のアライメント機構を有するフレーム、
前記フレーム内に配置されたチューブセット、および
前記フレーム内に配置され、前記チューブセットに接続された静脈ドリップチャンバであって、前記フレームが前記透析システム上に取り付けられたときに、前記透析システムの１つ以上の流体レベルセンサと音響的に結合されるように、前記フレーム内に配置される静脈ドリップチャンバ、を含む、使い捨てカートリッジ。
【請求項７】
チューブセットおよび透析システムのダイアライザーをプライミングする方法であって、
生理食塩水供給源からの生理食塩水を、第１の方向で、前記チューブセット内および前記ダイアライザーの血液側を通して動かして、前記チューブセットおよび前記ダイアライザーの前記血液側から空気を除去するために、第１の操作モードで前記透析システムの血液ポンプを操作する工程、および
前記生理食塩水の少なくとも一部を、前記第１の方向とは反対の第２の方向で前記ダイアライザーの前記血液側を通して動かして、前記チューブセットから出すために、第２の操作モードで前記血液ポンプを操作する工程、を含む、プライミングする方法。
【請求項８】
前記チューブセットの静脈ドリップチャンバ内の前記生理食塩水の流体レベルをモニターする工程、および
前記静脈ドリップチャンバ内の流体レベルが安定したとき、または空気がもはや前記チューブセットを循環しないとき、前記第１の操作モードで前記血液ポンプの操作を停止する工程、をさらに含む、請求項７に記載の方法。
【請求項９】
前記第１の操作モードで前記血液ポンプを操作する工程は、前記生理食塩水を前記ダイアライザーの前記血液側を通して動かす前に、前記生理食塩水の少なくとも一部を前記チューブセットの静脈ドリップチャンバ内に動かす工程をさらに含む、請求項７に記載の方法。
【請求項１０】
前記第２の操作モードで前記血液ポンプを操作する工程は、前記生理食塩水を前記チューブセットの静脈ドリップチャンバを通して動かす前に、前記生理食塩水の少なくとも一部を前記ダイアライザーの前記血液側を通して動かす工程をさらに含む、請求項７に記載の方法。
【請求項１１】
前記ダイアライザーの透析液側から空気を除去するために、透析液供給源からの透析液を、第１の方向で前記ダイアライザーの前記透析液側を通して動かすように、透析液ポンプを操作する工程をさらに含む、請求項７に記載の方法。
【請求項１２】
前記ダイアライザーの向きを物理的に操作することなく、空気が前記ダイアライザーの前記透析液側から除去される、請求項１１に記載の方法。
【請求項１３】
前記ダイアライザーの向きを反転することなく、空気が前記ダイアライザーの前記透析液側から除去される、請求項１１に記載の方法。
【請求項１４】
前記生理食塩水が前記生理食塩水供給源から前記チューブセット内に動くことを可能にするために、電子コントローラにより前記透析システムの１つ以上のバルブを開く工程をさらに含む、請求項７に記載の方法。
【請求項１５】
前記血液ポンプを操作する工程は、前記透析システムの電子コントローラにより前記血液ポンプを操作する工程をさらに含む、請求項７に記載の方法。
【請求項１６】
前記生理食塩水が、前記チューブセットの静脈ラインを前記チューブセットの動脈ラインに取り付けるユニオン継手を通して、前記チューブセットから出される、請求項７に記載の方法。
【請求項１７】
透析治療が開始可能になる前に、所定量の生理食塩水は前記ユニオン継手を通して動かされる、請求項１６に記載の方法。
【請求項１８】
透析治療後に透析システムのダイアライザーから流体を排出する方法であって、
前記透析システムの患者チューブセットの静脈ラインを閉鎖する工程、および
前記ダイアライザーの透析液側から前記ダイアライザーの血液側内へ、および前記ダイアライザーから出て廃液容器内へと流体を引き出すために、前記患者チューブセットに結合されたポンプを操作する工程、を含む、流体を排出する方法。
【請求項１９】
前記廃液容器は生理食塩水バッグを含む、請求項１８に記載の方法。
【請求項２０】
前記ダイアライザーの前記透析液側から前記ダイアライザーの前記血液側に流体を動かすために、前記流体は前記ダイアライザーのマイクロチューブ壁を通って引き出される、請求項１８に記載の方法。
【請求項２１】
前記流体は、重力に抗して前記ダイアライザーから引き出される、請求項１８に記載の方法。
【請求項２２】
透析システムであって、
流れる血液から空気を除去するように構成された静脈ドリップチャンバ、
前記静脈ドリップチャンバ内の血液の流体レベルをモニターするように構成された少なくとも１つのセンサ、
前記静脈ドリップチャンバに結合され、前記静脈ドリップチャンバ内にまたは前記静脈ドリップチャンバから外に空気をポンプ輸送するように構成されたポンプ、および
前記少なくとも１つのセンサおよび前記ポンプと通信する電子コントローラであって、前記少なくとも１つのセンサが、前記流体レベルが第１の閾値を下回って低下したことを検出したときに、前記ポンプで前記静脈ドリップチャンバから外に空気をポンプ輸送し、前記少なくとも１つのセンサが、前記流体レベルが第２の閾値を上回って上昇したことを検出したときに、前記ポンプで前記静脈ドリップチャンバ内に空気をポンプ輸送することによって、前記静脈ドリップチャンバ内の血液の前記流体レベルを維持するために、自動的に前記ポンプを制御するように構成された電子コントローラ、を含む、透析システム。
【請求項２３】
透析治療で使用するために透析システムに挿入されるように適合されている使い捨てカートリッジであって、
透析送達システム上のアライメントペグと嵌合するように構成された複数の位置合わせ孔を有するオーガナイザー、
前記オーガナイザーに配置されたチューブセットであって、
患者から血液を引き込むように構成された動脈ライン部、
患者に血液を戻すように構成された静脈ライン部、
前記透析送達システムの血液ポンプと相互作用するように構成された血液ポンプ部、
前記透析送達システムのダイアライザーに血液を運ぶように構成された第１のダイアライザー部、
前記ダイアライザーから血液を戻すように構成された第２のダイアライザー部、および
生理食塩水供給源を前記チューブセットに結合するように構成された第１および第２の生理食塩水ライン、を含む、チューブセット、並びに
前記オーガナイザー内に配置され、静脈ドリップチャンバに入る血液から空気を除去するように構成された静脈ドリップチャンバであって、
前記静脈ドリップチャンバの下部に配置された第１および第２のポートであって、前記チューブセットの前記静脈ライン部に結合された前記第１のポートと、前記チューブセットの前記動脈ライン部に結合された前記第２のポートと、を含む静脈ドリップチャンバ、を含む、使い捨てカートリッジ。
【請求項２４】
ヘパリン供給源を前記チューブセットに結合するように構成されたヘパリンラインをさらに含む、請求項２３に記載の使い捨てカートリッジ。
【請求項２５】
前記ヘパリンラインは、前記静脈ドリップチャンバの上部に配置された第３のポートに結合される、請求項２４に記載の使い捨てカートリッジ。
【請求項２６】
治療中に前記ヘパリンライン内への血液の逆流を防止するために、前記ヘパリンラインは、非拍動位置で前記静脈ドリップチャンバに結合されている、請求項２５に記載の使い捨てカートリッジ。
【請求項２７】
前記非拍動位置は、前記静脈ドリップチャンバ内のエアギャップを含む、請求項２６に記載の使い捨てカートリッジ。
【請求項２８】
前記第１の生理食塩水ラインは、前記チューブセットの前記血液ポンプ部の近位端で前記チューブセットに取り付けられる、請求項２３に記載の使い捨てカートリッジ。
【請求項２９】
前記第２の生理食塩水ラインは、前記チューブセットの前記動脈ライン部の近位端近傍で前記チューブセットに取り付けられる、請求項２３に記載の使い捨てカートリッジ。
【請求項３０】
前記チューブセットの前記動脈ライン部に沿って配置され、前記透析送達システムの動脈圧センサと嵌合するように構成された動脈圧ポッドをさらに含む、請求項２３に記載の使い捨てカートリッジ。
【請求項３１】
前記静脈ドリップチャンバに結合され、前記透析送達システムの静脈圧センサと嵌合するように構成された静脈トランスデューサ接続部をさらに含む、請求項２３に記載の使い捨てカートリッジ。
【請求項３２】
透析システムであって、
筐体、
前記筐体内に配置され、利用可能な水供給源を用いてリアルタイムに透析治療に使用するための水を調製するように構成された浄水システム、
前記筐体内に配置され、透析治療のために透析液を調製するように構成された透析送達システム、
前記筐体上または前記筐体内に配置されたダイアライザー、
前記筐体上に配置された前面パネルであって、
複数のアライメント機構、
静脈レベルセンサ、
血液ポンプ、
複数のピンチバルブ、を含む、前面パネル、
前記前面パネルに取り付けられるように構成されたオーガナイザーであって、前記複数のアライメント機構と嵌合するように構成された複数の装着機構を含み、
前記オーガナイザー内に配置されたチューブセットであって、
患者から血液を引き込むように構成された動脈ライン部、
患者に血液を戻すように構成された静脈ライン部、
前記血液ポンプと相互作用するように構成された血液ポンプ部、
前記ダイアライザーに血液を運ぶように構成された第１のダイアライザー部、
前記ダイアライザーから血液を戻すように構成された第２のダイアライザー部、
生理食塩水供給源を前記チューブセットに結合するように構成された第１および第２の生理食塩水ライン、を含む、チューブセット、
前記オーガナイザー内に配置され、静脈ドリップチャンバに入る血液から空気を除去するように構成された静脈ドリップチャンバであって、
前記静脈ドリップチャンバの下部に配置された第１および第２のポートを含み、
前記第１のポートは前記チューブセットの前記静脈ライン部に結合され、
前記第２のポートは前記チューブセットの前記動脈ライン部に結合されており、
前記オーガナイザーを前記前面パネルに取り付けると、自動的に、前記チューブセットの前記血液ポンプ部が前記血液ポンプに結合され、前記静脈ドリップチャンバが前記静脈レベルセンサに結合される、静脈ドリップチャンバ、を含む、オーガナイザー、
を含む、透析システム。
【手続補正２】
【補正対象書類名】明細書
【補正対象項目名】０１１４
【補正方法】変更
【補正の内容】
【０１１４】
上述したように、浄水システムおよび透析液送達システムは、様々なポンプ、バルブ、センサ、空気分離装置、空気センサ、熱交換器および他の安全機構（安全特徴）を含んでもよい。これらの機構（特徴）の全ては、透析システムの電子コントローラによって、電子的にかつ自動的に制御されてもよい。
本明細書の開示内容は、以下の態様を含み得る。
（態様１）
透析システムとの動的バランスを達成する方法であって、
患者からの血液の流れを、患者のチューブセットおよびダイアライザーの血液側を通して血流を動かすために、血液ポンプを操作する工程、
前記ダイアライザーの透析液側を通る透析液の流れを動かすために、第１の透析液ポンプおよび第２の透析液ポンプを操作する工程、
前記ダイアライザーの前記透析液側を通る前記透析液の流れをバイパスする工程、および
前記ダイアライザーの前記透析液側を通る前記透析液の流れがバイパスされている間、前記第１の透析液ポンプと前記第２の透析液ポンプとの間の透析液の圧力を測定し、前記測定された透析液の圧力が安定するまで、前記第２の透析液ポンプのポンプ速度を調節する工程、を含む、透析システムとの動的バランスを達成する方法。
（態様２）
さらに、前記ダイアライザーの前記透析液側を通る透析液の流れを回復する工程を含む、態様１に記載の方法。
（態様３）
前記透析液の流れが前記ダイアライザーの前記透析液側を通って回復するときに、流体は前記ダイアライザーの前記血液側から前記ダイアライザーの前記透析液側まで通過しない、態様２に記載の方法。
（態様４）
透析システムとの動的バランスを達成する方法であって、
患者からの血液の流れを、患者のチューブセットおよびダイアライザーの血液側を通して動かすために、血液ポンプを操作する工程、
患者の静脈圧を測定する工程、
前記ダイアライザーの透析液側を通る透析液の流れを動かすために、第１の透析液ポンプおよび第２の透析液ポンプを操作する工程、
透析液の流れが前記ダイアライザーの透析液側を通ることを防止する工程、
前記ダイアライザーの前記透析液側を通る透析液の流れが防止されている間、前記第１の透析液ポンプおよび前記第２の透析液ポンプとの間の透析液の圧力を測定し、前記測定された透析液の圧力が安定するまで、前記第２の透析液ポンプのポンプ速度を調節する工程、
前記透析液の流れが前記ダイアライザーの透析液側を通ることを許可する工程、および
前記第１の透析液ポンプと前記第２の透析液ポンプとの間の流れアンバランスを引き起こすために、前記第２の透析液ポンプのポンプ速度を調節する工程であって、前記流れアンバランスは、当該流れアンバランスを均一にするために前記ダイアライザーの血液側と前記ダイアライザーの透析液側との間の流体の流れをもたらす、前記第２の透析液ポンプのポンプ速度を調節する工程、を含む、透析システムとの動的バランスを達成する方法。
（態様５）
前記流体の流れは、前記ダイアライザーの前記血液側から前記ダイアライザーの前記透析液側に進む、態様４に記載の方法。
（態様６）
前記流体の流れは、前記ダイアライザーの前記透析液側から前記ダイアライザーの前記血液側に進む、態様４に記載の方法。
（態様７）
さらに、前記ダイアライザーの前記血液側と前記ダイアライザーの前記透析液側との間の圧力損失をキャリブレートするために、前記第２の透析液ポンプのポンプ速度を調節する工程を含む、態様４に記載の方法。
（態様８）
さらに、前記測定された静脈圧が所定の閾値だけ変化した場合に、前記防止、測定および調節する工程を繰り返す工程を含む、態様４に記載の方法。
（態様９）
前記所定の閾値は、３０ｍｍＨｇを超える、態様８に記載の方法。
（態様１０）
透析システムであって、
患者からの血液の流れを、患者のチューブセットおよびダイアライザーの血液側を通して動かすように構成された血液ポンプ、
患者の静脈圧を測定するように構成された静脈圧センサ、
前記ダイアライザーの透析液側を通る透析液の流れを制御するように構成された第１のポンプおよび第２のポンプ、
透析液の流れが前記ダイアライザーの透析液側を通ることを防止するために、前記ダイアライザーの透析液側をバイパスするように構成された１つ以上のバルブ、
前記第１のポンプと前記第２のポンプとの間に配置され、前記ダイアライザーの透析液側がバイパスされたときに、透析液の圧力を測定するように構成された透析液圧センサ、および
前記血液ポンプ、前記静脈圧センサ、前記第１および第２のポンプ、前記１つ以上のバルブ、および前記透析液圧センサと操作可能に結合された電子コントローラであって、前記電子コントローラは、前記第１のポンプと前記第２のポンプとの間の流れアンバランスを引き起こすために、前記第１および第２のポンプのポンプ速度を調節するように構成されており、前記流れアンバランスは、当該流れアンバランスを均一にするために前記ダイアライザーの前記血液側と前記ダイアライザーの前記透析液側との間の流体の流れをもたらす、電子コントローラ、を含む、透析システム。
（態様１１）
透析システムであって、
血液側および透析液側を含むダイアライザー、
前記ダイアライザーの前記血液側に結合された血液回路であって、さらに、患者の静脈接続部位に接続されるように適合された静脈ラインと、患者の動脈接続部位に接続されるように適合された動脈ラインとを含む血液回路、
前記血液回路に結合され、患者からの血液を、前記動脈ラインを通り、前記ダイアライザーの前記血液側を通り、そして前記静脈ラインを通って患者に戻すように構成された血液ポンプ、
前記血液回路に結合され、患者の静脈圧を測定するように構成された静脈圧センサ、
前記ダイアライザーの前記透析液側に結合された透析液回路であって、さらに、透析液供給源に結合された透析液ラインを含む透析液回路、
前記透析液回路に結合されたアクチュエータであって、透析液が前記ダイアライザーの前記透析液側を通って移動する第１の構成と、透析液が前記ダイアライザーの前記透析液側を通って移動することを防止する第２の構成とを含むアクチュエータ、
前記透析液回路に結合された第１の透析液ポンプおよび第２の透析液ポンプであって、前記アクチュエータが前記第１の構成のときに、前記透析液供給源から、前記透析液ラインを通り、そして前記ダイアライザーの前記透析液側を通る透析液を動かすように構成された、第１の透析液ポンプおよび第２の透析液ポンプ、
前記透析液回路に結合され、前記第１の透析液ポンプと前記第２の透析液ポンプとの間の前記透析液の圧力を測定するように構成された透析液圧センサ、および
前記血液ポンプ、前記静脈圧センサ、前記透析液圧センサ、前記アクチュエータ、前記第１の透析液ポンプおよび前記第２の透析液ポンプと操作可能に連結された電子コントローラであって、
前記ダイアライザーの前記透析液側を通る透析液の流れを動かすために、前記第１の透析液ポンプのポンプ速度を調節する工程、
透析液の流れが前記ダイアライザーの前記透析液側を通過するのを防止するために前記アクチュエータを制御する工程、
測定された透析液圧を前記透析液圧センサから受信する工程と、
前記測定された透析液圧が安定するまで、前記第２の透析液ポンプのポンプ速度を調節する工程、
前記透析液の流れが前記ダイアライザーの前記透析液側を通過することを可能にするために前記アクチュエータを制御する工程、および
前記第１の透析液ポンプと前記第２の透析液ポンプとの間の流れアンバランスを引き起こすために、前記第２の透析液ポンプのポンプ速度を調節して、前記流れアンバランスは、当該流れアンバランスを均一にするために前記ダイアライザーの前記血液側と前記ダイアライザーの前記透析液側との間の流体の流れをもらす工程、
を実行することによって、透析治療中に前記ダイアライザーを横切る流体流れの動的バランスを達成するように構成された電子コントローラ、を含む、透析システム。
（態様１２）
前記電子コントローラは、前記測定された静脈圧を前記静脈圧センサから受信するように構成され、かつ前記測定された静脈圧が所定の閾値だけ変化する場合に、前記制御、受信および調節する工程を繰り返すように構成される、態様１１に記載のシステム。
（態様１３）
透析システムに使い捨てのカートリッジおよびチューブセットを接続する方法であって、
前記透析システムのアライメント機構に隣接して、前記使い捨てのカートリッジおよびチューブセットのアライメント機構を配置する工程と、
前記使い捨てのカートリッジおよびチューブセットの静脈ドリップチャンバを前記透析システムの１つ以上の流体レベルセンサと音響的に結合させるために、前記透析システム上に前記使い捨てのカートリッジおよびチューブセットを取り付ける工程と、を含む、使い捨てカートリッジおよびチューブセットを接続する方法。
（態様１４）
さらに、前記静脈ドリップチャンバ内の流体レベルを前記１つ以上の流体レベルセンサで測定する工程を含む、態様１３に記載の方法。
（態様１５）
透析システム上に取り付けるように適合された使い捨てカートリッジであって、
前記透析システム上の対応するアライメント機構と取り外し可能に嵌合するように構成された複数のアライメント機構を有するフレーム、
前記フレーム内に配置されたチューブセット、および
前記フレーム内に配置され、前記チューブセットに接続された静脈ドリップチャンバであって、前記フレームが前記透析システム上に取り付けられたときに、前記透析システムの１つ以上の流体レベルセンサと音響的に結合されるように、前記フレーム内に配置される静脈ドリップチャンバ、を含む、使い捨てカートリッジ。
（態様１６）
チューブセットおよび透析システムのダイアライザーをプライミングする方法であって、
生理食塩水供給源からの生理食塩水を、第１の方向で、前記チューブセット内および前記ダイアライザーの血液側を通して動かして、前記チューブセットおよび前記ダイアライザーの前記血液側から空気を除去するために、第１の操作モードで前記透析システムの血液ポンプを操作する工程、および
前記生理食塩水の少なくとも一部を、前記第１の方向とは反対の第２の方向で前記ダイアライザーの前記血液側を通して動かして、前記チューブセットから出すために、第２の操作モードで前記血液ポンプを操作する工程、を含む、プライミングする方法。
（態様１７）
前記チューブセットの静脈ドリップチャンバ内の前記生理食塩水の流体レベルをモニターする工程、および
前記静脈ドリップチャンバ内の流体レベルが安定したとき、または空気がもはや前記チューブセットを循環しないとき、前記第１の操作モードで前記血液ポンプの操作を停止する工程、をさらに含む、態様１６に記載の方法。
（態様１８）
前記第１の操作モードで前記血液ポンプを操作する工程は、前記生理食塩水を前記ダイアライザーの前記血液側を通して動かす前に、前記生理食塩水の少なくとも一部を前記チューブセットの静脈ドリップチャンバ内に動かす工程をさらに含む、態様１６に記載の方法。
（態様１９）
前記第２の操作モードで前記血液ポンプを操作する工程は、前記生理食塩水を前記チューブセットの静脈ドリップチャンバを通して動かす前に、前記生理食塩水の少なくとも一部を前記ダイアライザーの前記血液側を通して動かす工程をさらに含む、態様１６に記載の方法。
（態様２０）
前記ダイアライザーの透析液側から空気を除去するために、透析液供給源からの透析液を、第１の方向で前記ダイアライザーの前記透析液側を通して動かすように、透析液ポンプを操作する工程をさらに含む、態様１６に記載の方法。
（態様２１）
前記ダイアライザーの向きを物理的に操作することなく、空気が前記ダイアライザーの前記透析液側から除去される、態様２０に記載の方法。
（態様２２）
前記ダイアライザーの向きを反転することなく、空気が前記ダイアライザーの前記透析液側から除去される、態様２０に記載の方法。
（態様２３）
前記生理食塩水が前記生理食塩水供給源から前記チューブセット内に動くことを可能にするために、電子コントローラにより前記透析システムの１つ以上のバルブを開く工程をさらに含む、態様１６に記載の方法。
（態様２４）
前記血液ポンプを操作する工程は、前記透析システムの電子コントローラにより前記血液ポンプを操作する工程をさらに含む、態様１６に記載の方法。
（態様２５）
前記生理食塩水が、前記チューブセットの静脈ラインを前記チューブセットの動脈ラインに取り付けるユニオン継手を通して、前記チューブセットから出される、態様１６に記載の方法。
（態様２６）
透析治療が開始可能になる前に、所定量の生理食塩水は前記ユニオン継手を通して動かされる、態様２５に記載の方法。
（態様２７）
透析治療後に、透析送達システムの患者チューブセット内の血液を患者に戻す方法であって、
生理食塩水を前記患者チューブセット内に引き込んで、血液を患者の体内に押し戻すために、前記患者チューブセットに結合された血液ポンプを動作する工程、
前記患者チューブセット内に引き込まれた生理食塩水量を決定するために、前記血液ポンプの回転数を追跡する工程、および
所定量の生理食塩水が前記患者チューブセット内に引き込まれたときに、前記血液ポンプを停止する工程、を含む、血液を患者に戻す方法。
（態様２８）
前記所定量は３００〜５００ｍｌを含む、態様２７に記載の方法。
（態様２９）
生理食塩水供給源と前記チューブセットとの間の経路を形成するために、前記透析送達システムの１つ以上のピンチバルブを開く工程をさらに含む、態様２７に記載の方法。
（態様３０）
前記生理食塩水供給源と、患者の動脈アクセス部位またはその近傍のチューブセットとの間の経路を形成するために、１つ以上のピンチバルブを開く工程をさらに含む、態様２９に記載の方法。
（態様３１）
血液が患者の静脈アクセス部位を通して患者に押し戻される、態様２７に記載の方法。
（態様３２）
透析治療後に透析システムのダイアライザーから流体を排出する方法であって、
前記透析システムの患者チューブセットの静脈ラインを閉鎖する工程、および
前記ダイアライザーの透析液側から前記ダイアライザーの血液側内へ、および前記ダイアライザーから出て廃液容器内へと流体を引き出すために、前記患者チューブセットに結合されたポンプを操作する工程、を含む、流体を排出する方法。
（態様３３）
前記廃液容器は生理食塩水バッグを含む、態様３２に記載の方法。
（態様３４）
前記ダイアライザーの前記透析液側から前記ダイアライザーの前記血液側に流体を動かすために、前記流体は前記ダイアライザーのマイクロチューブ壁を通って引き出される、態様３２に記載の方法。
（態様３５）
前記流体は、重力に抗して前記ダイアライザーから引き出される、態様３２に記載の方法。
（態様３６）
治療中に透析システムの静脈ドリップチャンバ内の流体レベルを制御する方法であって、
患者チューブセットおよび前記静脈ドリップチャンバを通る血液の流れを生成する工程、
前記静脈ドリップチャンバ内の血液の流体レベルを第１および第２のセンサでモニターする工程、
前記流体レベルが前記第１のセンサより下に降下したときに、自動的に、前記静脈ドリップチャンバから外に空気をポンプ輸送または放出する工程、および
前記流体レベルが前記第２のセンサより上に上昇したときに、自動的に、前記静脈ドリップチャンバ内に空気をポンプ輸送する工程、を含む、流体レベルを制御する方法。
（態様３７）
治療中に透析システムの静脈ドリップチャンバ内の流体レベルを制御する方法であって、
患者チューブセットおよび前記静脈ドリップチャンバを通る血液の流れを生成する工程、
前記静脈ドリップチャンバ内の血液の流体レベルをセンサでモニターする工程、
前記センサが、前記流体レベルがより低い流体レベル閾値を下回って低下したことを検出した場合、自動的に、前記静脈ドリップチャンバから外に空気をポンプ輸送または放出する工程、および
前記センサが、前記流体レベルがより高い流体レベル閾値を上回って上昇したことを検出した場合、自動的に、前記静脈ドリップチャンバ内に空気をポンプ輸送する工程、を含む、流体レベルを制御する方法。
（態様３８）
治療中に透析システムの静脈ドリップチャンバ内の流体レベルを制御する方法であって、
患者チューブセットおよび前記静脈ドリップチャンバを通る血液の流れを生成する工程、
前記静脈ドリップチャンバ内の血液の流体レベルを第１および第２のセンサでモニターする工程、および
前記第１のセンサが、前記流体レベルがより低い閾値を下回って低下したことを検出した場合、自動的に、前記静脈ドリップチャンバから外に空気をポンプ輸送または放出し、前記第２のセンサが、前記流体レベルがより高い閾値を上回って上昇したことを検出した場合、自動的に、前記静脈ドリップチャンバ内に空気をポンプ輸送することによって、前記静脈ドリップチャンバ内の血液の前記流体レベルを自動的に維持する工程、を含む、流体レベルを制御する方法。
（態様３９）
透析システムであって、
流れる血液から空気を除去するように構成された静脈ドリップチャンバ、
前記静脈ドリップチャンバ内の血液の流体レベルをモニターするように構成された少なくとも１つのセンサ、
前記静脈ドリップチャンバに結合され、前記静脈ドリップチャンバ内にまたは前記静脈ドリップチャンバから外に空気をポンプ輸送するように構成されたポンプ、および
前記少なくとも１つのセンサおよび前記ポンプと通信する電子コントローラであって、前記少なくとも１つのセンサが、前記流体レベルが第１の閾値を下回って低下したことを検出したときに、前記ポンプで前記静脈ドリップチャンバから外に空気をポンプ輸送し、前記少なくとも１つのセンサが、前記流体レベルが第２の閾値を上回って上昇したことを検出したときに、前記ポンプで前記静脈ドリップチャンバ内に空気をポンプ輸送することによって、前記静脈ドリップチャンバ内の血液の前記流体レベルを維持するために、自動的に前記ポンプを制御するように構成された電子コントローラ、を含む、透析システム。
（態様４０）
透析治療で使用するために透析システムに挿入されるように適合されている使い捨てカートリッジであって、
透析送達システム上のアライメントペグと嵌合するように構成された複数の位置合わせ孔を有するオーガナイザー、
前記オーガナイザーに配置されたチューブセットであって、
患者から血液を引き込むように構成された動脈ライン部、
患者に血液を戻すように構成された静脈ライン部、
前記透析送達システムの血液ポンプと相互作用するように構成された血液ポンプ部、
前記透析送達システムのダイアライザーに血液を運ぶように構成された第１のダイアライザー部、
前記ダイアライザーから血液を戻すように構成された第２のダイアライザー部、および
生理食塩水供給源を前記チューブセットに結合するように構成された第１および第２の生理食塩水ライン、を含む、チューブセット、並びに
前記オーガナイザー内に配置され、静脈ドリップチャンバに入る血液から空気を除去するように構成された静脈ドリップチャンバであって、
前記静脈ドリップチャンバの下部に配置された第１および第２のポートであって、前記チューブセットの前記静脈ライン部に結合された前記第１のポートと、前記チューブセットの前記動脈ライン部に結合された前記第２のポートと、を含む静脈ドリップチャンバ、を含む、使い捨てカートリッジ。
（態様４１）
ヘパリン供給源を前記チューブセットに結合するように構成されたヘパリンラインをさらに含む、態様４０に記載の使い捨てカートリッジ。
（態様４２）
前記ヘパリンラインは、前記静脈ドリップチャンバの上部に配置された第３のポートに結合される、態様４１に記載の使い捨てカートリッジ。
（態様４３）
治療中に前記ヘパリンライン内への血液の逆流を防止するために、前記ヘパリンラインは、非拍動位置で前記静脈ドリップチャンバに結合されている、態様４２に記載の使い捨てカートリッジ。
（態様４４）
前記非拍動位置は、前記静脈ドリップチャンバ内のエアギャップを含む、態様４３に記載の使い捨てカートリッジ。
（態様４５）
前記第１の生理食塩水ラインは、前記チューブセットの前記血液ポンプ部の近位端で前記チューブセットに取り付けられる、態様４０に記載の使い捨てカートリッジ。
（態様４６）
前記第２の生理食塩水ラインは、前記チューブセットの前記動脈ライン部の近位端近傍で前記チューブセットに取り付けられる、態様４０に記載の使い捨てカートリッジ。
（態様４７）
前記チューブセットの前記動脈ライン部に沿って配置され、前記透析送達システムの動脈圧センサと嵌合するように構成された動脈圧ポッドをさらに含む、態様４０に記載の使い捨てカートリッジ。
（態様４８）
前記静脈ドリップチャンバに結合され、前記透析送達システムの静脈圧センサと嵌合するように構成された静脈トランスデューサ接続部をさらに含む、態様４０に記載の使い捨てカートリッジ。
（態様４９）
透析システムであって、
筐体、
前記筐体内に配置され、利用可能な水供給源を用いてリアルタイムに透析治療に使用するための水を調製するように構成された浄水システム、
前記筐体内に配置され、透析治療のために透析液を調製するように構成された透析送達システム、
前記筐体上または前記筐体内に配置されたダイアライザー、
前記筐体上に配置された前面パネルであって、
複数のアライメント機構、
静脈レベルセンサ、
血液ポンプ、
複数のピンチバルブ、を含む、前面パネル、
前記前面パネルに取り付けられるように構成されたオーガナイザーであって、前記複数のアライメント機構と嵌合するように構成された複数の装着機構を含み、
前記オーガナイザー内に配置されたチューブセットであって、
患者から血液を引き込むように構成された動脈ライン部、
患者に血液を戻すように構成された静脈ライン部、
前記血液ポンプと相互作用するように構成された血液ポンプ部、
前記ダイアライザーに血液を運ぶように構成された第１のダイアライザー部、
前記ダイアライザーから血液を戻すように構成された第２のダイアライザー部、
生理食塩水供給源を前記チューブセットに結合するように構成された第１および第２の生理食塩水ライン、を含む、チューブセット、
前記オーガナイザー内に配置され、静脈ドリップチャンバに入る血液から空気を除去するように構成された静脈ドリップチャンバであって、
前記静脈ドリップチャンバの下部に配置された第１および第２のポートを含み、
前記第１のポートは前記チューブセットの前記静脈ライン部に結合され、
前記第２のポートは前記チューブセットの前記動脈ライン部に結合されており、
前記オーガナイザーを前記前面パネルに取り付けると、自動的に、前記チューブセットの前記血液ポンプ部が前記血液ポンプに結合され、前記静脈ドリップチャンバが前記静脈レベルセンサに結合される、静脈ドリップチャンバ、を含む、オーガナイザー、
を含む、透析システム。